(57)【特許請求の範囲】
【請求項１】
内部に収納した貨幣の出金を行う貨幣処理機と、
所定枚数ずつ包装あるいは結束された貨幣を処理単位として出金する出金機と、  前記貨幣処理機に補充する貨幣の枚数又は金額の少なくとも一部を、前記処理単位に換算する換算部と、
を備える貨幣処理システムであって、
前記換算部は、
前記貨幣処理機に補充すべき貨幣の枚数である貨幣補充枚数、または前記貨幣処理機の貨幣収納枚数を外部から取得する貨幣枚数取得手段と、
前記貨幣枚数取得手段によって取得された前記貨幣補充枚数、または前記貨幣枚数取得手段によって取得された貨幣収納枚数に基づいて求められた貨幣補充枚数の少なくとも一部を、前記処理単位に換算する換算手段と、
を有し、
前記出金機は、前記換算部の換算結果に基づいて、ｎ処理単位（ｎは０以上の整数）の貨幣を出金することを特徴とする貨幣処理システム。
【請求項２】
前記換算部は、前記貨幣処理機に補充すべき貨幣補充枚数が、前記出金機が出金する貨幣の１処理単位に満たない場合は、１処理単位に換算することを特徴とする請求項１に記載の貨幣処理システム。
【請求項３】
前記換算部は、前記出金機から出金されるｎ処理単位の貨幣が前記貨幣処理機に収納されたときに、前記貨幣処理機の貨幣収納枚数が所定の閾値を超えないように、換算結果を補正することを特徴とする請求項２に記載の貨幣処理システム。
【請求項４】
前記出金機は、貨幣を１枚ずつバラ出金する出金部と、バラ出金用の貨幣を収納する収納部とを有し、
前記貨幣処理機に補充する貨幣の枚数が前記収納部に収納されている貨幣より少ない場合は、前記換算部は換算を行わず、前記出金部が前記貨幣処理機に補充する貨幣をバラ出金し、
前記貨幣処理機に補充する貨幣の枚数が前記収納部に収納されている貨幣より多い場合は、前記換算部は換算を行い、前記出金機は換算結果に基づいてｎ処理単位の貨幣を出金することを特徴とする請求項１乃至３のいずれかに記載の貨幣処理システム。
【請求項５】
前記貨幣処理機は、収納している貨幣の枚数を前記換算部に通知することができ、
前記換算部は、前記貨幣処理機から通知された枚数に基づいて、前記貨幣処理機に補充する貨幣の枚数を求めることを特徴とする請求項１乃至４のいずれかに記載の貨幣処理システム。
【請求項６】
前記換算部は、前記貨幣補充枚数を入力する入力手段を有することを特徴とする請求項１乃至５のいずれかに記載の貨幣処理システム。
【請求項７】
所定枚数ずつ包装あるいは結束された貨幣を処理単位として出金する出金機と、貨幣処理機に補充する貨幣の枚数又は金額の少なくとも一部を前記処理単位に換算する換算部と、を用いた貨幣処理方法であって、
前記換算部が、前記貨幣処理機に補充すべき貨幣の枚数である貨幣補充枚数、または前記貨幣処理機の貨幣収納枚数を外部から取得するステップと、
前記換算部が、前記取得された貨幣補充枚数、または前記取得された貨幣収納枚数に基づいて求められた貨幣補充枚数の少なくとも一部を前記処理単位に換算するステップと、  前記換算部が、換算結果を前記出金機に通知するステップと、
前記出金機が、前記換算結果に基づいてｎ処理単位（ｎは０以上の整数）の貨幣を出金するステップと、
を備える貨幣処理方法。
【請求項８】
前記換算部は、前記貨幣処理機に補充すべき貨幣補充枚数が、前記出金機が出金する貨幣の１処理単位に満たない場合は、１処理単位に換算することを特徴とする請求項７に記載の貨幣処理方法。
【請求項９】
前記換算部は、前記出金機から出金されるｎ処理単位の貨幣が前記貨幣処理機に収納されたときに、前記貨幣処理機の貨幣収納枚数が所定の閾値を超えないように、換算結果を補正することを特徴とする請求項８に記載の貨幣処理方法。
【請求項１０】
前記出金機は、貨幣を１枚ずつバラ出金する出金部と、バラ出金用の貨幣を収納する収納部とを有し、
前記貨幣処理機に補充する貨幣の枚数が前記収納部に収納されている貨幣より少ない場合は、前記換算部は換算を行わず、前記出金部が前記貨幣処理機に補充する貨幣をバラ出金することを特徴とする請求項７乃至９のいずれかに記載の貨幣処理方法。
【請求項１１】
内部に収納された貨幣の出金を行うと共に、所定枚数ずつ包装あるいは結束された貨幣を処理単位として出金する出金機へ出金を指示する貨幣処理機であって、
前記貨幣処理機に補充すべき貨幣の枚数である貨幣補充枚数、または前記貨幣処理機の貨幣収納枚数を外部から取得し、前記取得された前記貨幣補充枚数、または前記取得された貨幣収納枚数に基づいて求められた貨幣補充枚数の少なくとも一部を、前記処理単位に換算する換算部と、
前記換算部の換算結果に基づいて、ｎ処理単位（ｎは０以上の整数）の貨幣を出金するように前記出金機に指示する指示部と、
を備えることを特徴とする貨幣処理機。
【請求項１２】
前記換算部は、前記貨幣処理機に補充すべき貨幣補充枚数が、前記出金機が出金する貨幣の１処理単位に満たない場合は、１処理単位に換算することを特徴とする請求項１１に記載の貨幣処理機。
【請求項１３】
前記換算部は、前記出金機から出金されるｎ処理単位の貨幣が収納されたときに、貨幣収納枚数が所定の閾値を超えないように、換算結果を補正し、
前記指示部は、補正後の換算結果に基づいて前記出金機に出金を指示することを特徴とする請求項１１又は１２に記載の貨幣処理機。
【請求項１４】
前記処理単位毎に貨幣を収納する収納部をさらに備えることを特徴とする請求項１１乃至１３のいずれかに記載の貨幣処理機。
【請求項１５】
所定枚数ずつ包装あるいは結束された貨幣を処理単位として出金する出金機であって、  貨幣処理機に補充すべき貨幣の枚数である貨幣補充枚数、または前記貨幣処理機の貨幣収納枚数を外部から取得し、前記取得された前記貨幣補充枚数、または前記取得された貨幣収納枚数に基づいて求められた貨幣補充枚数の少なくとも一部を、前記処理単位に換算する換算部と、
前記換算部の換算結果に基づいて、ｎ処理単位（ｎは０以上の整数）の貨幣を出金する出金部と、
を備えることを特徴とする出金機。
【請求項１６】
前記換算部は、前記貨幣処理機に補充すべき貨幣補充枚数が１処理単位に満たない場合は、１処理単位として換算することを特徴とする請求項１５に記載の出金機。
【請求項１７】
貨幣を１枚ずつバラ出金する第２出金部と、
バラ出金用の貨幣を収納する収納部と
をさらに備え、
前記貨幣処理機に補充する貨幣の枚数が前記収納部に収納されている貨幣より少ない場合は、前記換算部は換算を行わず、前記第２出金部が前記貨幣処理機に補充する貨幣をバラ出金し、
前記貨幣処理機に補充する貨幣の枚数が前記収納部に収納されている貨幣より多い場合は、前記換算部が換算を行い、前記出金部が換算結果に基づいてｎ処理単位の貨幣を出金することを特徴とする請求項１５又は１６に記載の出金機。
【発明の詳細な説明】
【技術分野】
【０００１】
本発明は、結束貨幣を用いて貨幣処理機に貨幣を補充する貨幣処理システム、貨幣処理方法、貨幣処理機及び出金機に関する。
【背景技術】
【０００２】
スーパーや量販店等の小売店舗には、複数のＰＯＳレジスタと、各ＰＯＳレジスタに接続された釣銭機が設置されている。釣銭機が釣銭切れになることを防止するために、現金データ管理装置が、釣銭機に釣銭用現金として必要な金種毎の枚数と、釣銭機から通知される釣銭用現金の金種毎の保有枚数とから、釣銭機に対する金種毎の補充枚数を求めて現金処理装置に通知し、現金処理装置が補充枚数の釣銭用現金を出金する現金管理システムが提案されている（例えば特許文献１参照）。
【０００３】
貨幣を出金する出金機には、結束貨幣（帯封された紙幣や包装された硬貨）と、バラ貨幣（結束されていないバラ状態の貨幣）とを出金できるものが知られている。このような出金機を上述のような従来のシステムに適用した場合、出金機内のバラ貨幣が不足していると、釣銭機への補充用の現金を出金できなくなるという問題があった。また、結束貨幣を使って補充用の現金を出金するためには、オペレータが、釣銭機への補充枚数を、結束貨幣の単位に計算し直して出金機に入力する必要があり、計算に手間がかかっていた。また、計算ミスや入力ミスが発生するおそれがあり、補充現金を正確に出金することが困難であった。
【先行技術文献】
【特許文献】
【０００４】
【特許文献１】特開２００７−２４１５３１号公報
【発明の概要】
【発明が解決しようとする課題】
【０００５】
本発明は、結束貨幣を用いて、貨幣処理機に補充する貨幣を容易かつ正確に出金することができる貨幣処理システム、貨幣処理方法、貨幣処理機及び出金機を提供することを目的とする。
【課題を解決するための手段】
【０００６】
本発明の一態様による貨幣処理システムは、内部に収納した貨幣の出金を行う貨幣処理機と、所定枚数の貨幣を処理単位として出金する出金機と、前記貨幣処理機に補充する貨幣の枚数又は金額の少なくとも一部を、前記処理単位に換算する換算部と、を備え、前記出金機は、前記換算部の換算結果に基づいて、ｎ処理単位（ｎは０以上の整数）の貨幣を出金することを特徴とするものである。
【０００７】
本発明の一態様による貨幣処理システムにおいては、前記換算部は、前記貨幣処理機に補充する貨幣の枚数又は金額が、前記出金機が出金する貨幣の１処理単位に満たない場合は、１処理単位に換算することが好ましい。
【０００８】
本発明の一態様による貨幣処理システムにおいては、前記換算部は、前記貨幣処理機の貨幣収納枚数を考慮して換算を行うことが好ましい。
【０００９】
本発明の一態様による貨幣処理システムにおいては、前記換算部は、前記出金機から出金されるｎ処理単位の貨幣が前記貨幣処理機に収納されたときに、前記貨幣処理機の貨幣収納枚数が所定の閾値を超えないように、換算結果を補正することが好ましい。
【００１０】
本発明の一態様による貨幣処理システムにおいては、前記出金機は、貨幣を１枚ずつバラ出金する出金部と、バラ出金用の貨幣を収納する収納部とを有し、前記貨幣処理機に補充する貨幣の枚数又は金額が前記収納部に収納されている貨幣より少ない場合は、前記換算部は換算を行わず、前記出金部が前記貨幣処理機に補充する貨幣をバラ出金し、前記貨幣処理機に補充する貨幣の枚数又は金額が前記収納部に収納されている貨幣より多い場合は、前記換算部は換算を行い、前記出金機は換算結果に基づいてｎ処理単位の貨幣を出金することが好ましい。
【００１１】
本発明の一態様による貨幣処理システムにおいては、前記貨幣処理機は、収納している貨幣の枚数又は金額を前記換算部に通知することができ、前記換算部は、前記貨幣処理機から通知された枚数又は金額に基づいて、前記貨幣処理機に補充する貨幣の枚数又は金額を求めることが好ましい。
【００１２】
本発明の一態様による貨幣処理方法は、所定枚数の貨幣を処理単位として出金する出金機と、貨幣の枚数又は金額を前記処理単位に換算する換算部と、を用いた貨幣処理方法であって、前記換算部が、貨幣処理機に補充する貨幣の枚数又は金額の少なくとも一部を前記処理単位に換算するステップと、前記換算部が、換算結果を前記出金機に通知するステップと、前記出金機が、前記換算結果に基づいてｎ処理単位（ｎは０以上の整数）の貨幣を出金するステップと、を備えるものである。
【００１３】
本発明の一態様による貨幣処理方法においては、前記換算部は、前記貨幣処理機に補充する貨幣の枚数又は金額が、前記出金機が出金する貨幣の１処理単位に満たない場合は、１処理単位に換算することが好ましい。
【００１４】
本発明の一態様による貨幣処理方法においては、前記換算部は、前記貨幣処理機の貨幣収納枚数を考慮して換算を行うことが好ましい。
【００１５】
本発明の一態様による貨幣処理方法においては、前記換算部は、前記出金機から出金されるｎ処理単位の貨幣が前記貨幣処理機に収納されたときに、前記貨幣処理機の貨幣収納枚数が所定の閾値を超えないように、換算結果を補正することが好ましい。
【００１６】
本発明の一態様による貨幣処理方法においては、前記出金機は、貨幣を１枚ずつバラ出金する出金部と、バラ出金用の貨幣を収納する収納部とを有し、前記貨幣処理機に補充する貨幣の枚数又は金額が前記収納部に収納されている貨幣より少ない場合は、前記換算部は換算を行わず、前記出金部が前記貨幣処理機に補充する貨幣をバラ出金することが好ましい。
【００１７】
本発明の一態様による貨幣処理機は、内部に収納された貨幣の出金を行うと共に、所定枚数の貨幣を処理単位として出金する出金機へ出金を指示する貨幣処理機であって、収納貨幣の枚数又は金額に基づいて求めた、補充する貨幣の枚数又は金額の少なくとも一部を、前記処理単位に換算する換算部と、前記換算部の換算結果に基づいて、ｎ処理単位（ｎは０以上の整数）の貨幣を出金するように前記出金機に指示する指示部と、を備えるものである。
【００１８】
本発明の一態様による貨幣処理機においては、前記換算部は、前記貨幣処理機に補充する貨幣の枚数又は金額が、前記出金機が出金する貨幣の１処理単位に満たない場合は、１処理単位に換算することが好ましい。
【００１９】
本発明の一態様による貨幣処理機においては、前記換算部は、前記出金機から出金されるｎ処理単位の貨幣が収納されたときに、貨幣収納枚数が所定の閾値を超えないように、換算結果を補正し、前記指示部は、補正後の換算結果に基づいて前記出金機に出金を指示することが好ましい。
【００２０】
本発明の一態様による貨幣処理機においては、前記処理単位毎に貨幣を収納する収納部をさらに備えることが好ましい。
【００２１】
本発明の一態様による出金機は、所定枚数の貨幣を処理単位として出金する出金機であって、貨幣処理機に補充する貨幣の枚数又は金額の少なくとも一部を、前記処理単位に換算する換算部と、前記換算部の換算結果に基づいて、ｎ処理単位（ｎは０以上の整数）の貨幣を出金する出金部と、を備えるものである。
【００２２】
本発明の一態様による出金機においては、前記換算部は、前記貨幣処理機に補充する貨幣の枚数又は金額が１処理単位に満たない場合は、１処理単位として換算することが好ましい。
【００２３】
本発明の一態様による出金機においては、貨幣を１枚ずつバラ出金する第２出金部と、バラ出金用の貨幣を収納する収納部とをさらに備え、前記貨幣処理機に補充する貨幣の枚数又は金額が前記収納部に収納されている貨幣より少ない場合は、前記換算部は換算を行わず、前記第２出金部が前記貨幣処理機に補充する貨幣をバラ出金し、前記貨幣処理機に補充する貨幣の枚数又は金額が前記収納部に収納されている貨幣より多い場合は、前記換算部が換算を行い、前記出金部が換算結果に基づいてｎ処理単位の貨幣を出金することが好ましい。
【発明の効果】
【００２４】
本発明によれば、結束貨幣を用いて、貨幣処理機に補充する貨幣を容易かつ正確に出金することができる。
【図面の簡単な説明】
【００２５】
【図１】本発明の第１の実施形態に係る貨幣処理システムの概略構成図である。
【図２】同第１の実施形態に係る出金機の概略構成図である。
【図３】同第１の実施形態に係る貨幣処理方法を説明するフローチャートである。
【図４】本発明の第２の実施形態に係る出金機のバラ硬貨出金部の概略構成図である。
【発明を実施するための形態】
【００２６】
（第１の実施形態）図１に本発明の第１の実施形態に係る貨幣処理システムのブロック構成を示す。貨幣処理システム１は、貨幣処理機２、出金機３、及び換算部４を備える。貨幣処理機２は、内部に収納した貨幣を出金するものであり、例えば釣銭機や両替機である。貨幣処理機２は、ＬＡＮ等のネットワークによって換算部４に通信接続されており、収納している貨幣の金種別枚数（金種別の在高情報）を換算部４に通知することができる。図１では１台の貨幣処理機２を示しているが、複数台設けてもよい。
【００２７】
出金機３は、所定の複数枚の貨幣を処理単位として出金する。例えば、出金機３は、複数枚の硬貨が包装された包装硬貨（棒金）や、複数枚の紙幣が結束された束紙幣等の結束貨幣を出金する。出金機３が包装硬貨を出金する場合、包装硬貨１本が１処理単位となる。また、出金機３が束紙幣を出金する場合は、束紙幣１つが１処理単位となる。１処理単位を構成する貨幣の枚数は、貨幣の金種毎に異なる枚数としても良く、例えば、５００円硬貨は２０枚、１００円硬貨は５０枚、１０００円紙幣は１００枚を１処理単位とすることができる。本実施形態では、出金機３が包装硬貨を出金するものとして説明を行う。
【００２８】
図２に、包装硬貨を出金する出金機３の概略構成を示す。出金機３は、筐体３０の内部に設けられた複数（例えば６つ）の収納カセット３１ａ〜３１ｆに金種毎に収納された包装硬貨を、筐体３０の外部に出す機能を有する。
【００２９】
より具体的には、出金機３は、複数の包装硬貨をそれぞれ金種毎に収納する複数（例えば６つ）の収納カセット３１ａ〜３１ｆと、各収納カセット３１ａ〜３１ｆから包装硬貨が１本ずつ送られる投出部３３とを備えている。各収納カセット３１ａ〜３１ｆには、操作者が必要に応じて任意の金種の包装硬貨（棒金）を手動で装填することができるようになっている。
【００３０】
各収納カセット３１ａ〜３１ｆは、包装硬貨の長手方向が図２の紙面に対して垂直方向に延びるよう、複数の包装硬貨を収納するようになっている。すなわち、図２において各収納カセット３１ａ〜３１ｆ内にある丸印はそれぞれ包装硬貨の断面を示しており、包装硬貨は図２の紙面に対して垂直方向に延びている。また、図２に示すように、各収納カセット３１ａ〜３１ｆは、それぞれ投出部３３に向かってわずかに下方に傾斜しており、これらの収納カセット３１ａ〜３１ｆに収納された包装硬貨は自重により投出部３３に向かって移動するようになっている。
【００３１】
投出部３３は、各収納カセット３１ａ〜３１ｆから包装硬貨が１つずつ送られるようになっている。投出部３３は筐体３０内を昇降移動するようになっており、各収納カセット３１ａ〜３１ｆの端部（図中右端部）の高さレベルにそれぞれ移動して、収納カセット３１ａ〜３１ｆから包装硬貨を受け取るようになっている。
【００３２】
出金機３の制御部３５は、後述する換算部４からの指示に基づいて、各収納カセット３１ａ〜３１ｆから投出部３３へ指示された本数の包装硬貨を移動させる。
【００３３】
収納カセット３１ａ〜３１ｆには、図２における収納カセット３１ａ〜３１ｆの左右方向に沿って移動するセンサ部３２が設けられている。このセンサ部３２は、各収納カセット３１ａ〜３１ｆに収納された包装硬貨の金種等の識別や、各収納カセット３１ａ〜３１ｆにおける包装硬貨の収納本数の検出等を行う。
【００３４】
また、図２に示すように、投出部３３の上方にはシャッター３４が設けられている。このシャッター３４は通常は閉められており、操作者が図示しない操作部を介して制御部３５に対してシャッター開動作を指令したときに、投出部３３が最も高い位置に上昇移動するとともにシャッター３４が開く。このことにより、操作者は、投出部３３に収容された包装硬貨を取り出すことができる。
【００３５】
図１に示すように、換算部４は、受信部４１、演算部４２、送信部４３、及び記憶部４４を有し、貨幣処理機３に補充する貨幣の枚数又は金額を、出金機３の出金処理単位に換算する。
【００３６】
受信部４１は、貨幣処理機２から、貨幣処理機２が収納している貨幣の金種別枚数の情報を受信する。
【００３７】
記憶部４４は、貨幣処理機２における金種別の、最大収納枚数、ニアフル枚数、補充フル枚数、ニアエンプティ枚数の情報を記憶する。最大収納枚数は、貨幣を収納する収納部が満杯（フル）となる枚数である。ニアフル枚数は、最大収納枚数より少ない枚数であり、収納部の収納枚数がニアフル枚数に達すると、収納部が満杯間近になったと判定される閾値となる枚数である。補充フル枚数は、ニアフル枚数より少ない枚数であり、収納部の収納枚数が補充フル枚数に達すると、収納部にこれ以上の貨幣を補充すべきでないと判定される閾値となる枚数である。ニアエンプティ枚数は、収納部の収納枚数がこれを下回ると、収納枚数が残り少なくなったと判定される閾値となる枚数である。
【００３８】
最大収納枚数は、貨幣処理機２が換算部４に通知してもよいし、操作者が記憶部４４に書き込んでもよい。また、ニアフル枚数、補充フル枚数、ニアエンプティ枚数は、貨幣処理機２が、自機に設定されたこれらの値を換算部４に通知してもよいし、操作者が記憶部４４に書き込んでもよい。
【００３９】
また、記憶部４４は、出金機３が貨幣を出金する際の処理単位を記憶している。すなわち、記憶部４４は、出金機３が貨幣を何枚単位で出金するかについての情報を記憶している。例えば、出金機３が図２に示すように金種別の包装硬貨（棒金）を出金する機器である場合、記憶部４４は、金種毎に、１本の包装硬貨（棒金）が何枚の硬貨で構成されているかの情報を記憶している。出金機３の処理単位は、出金機３が換算部４に通知してもよいし、操作者が記憶部４４に書き込んでもよい。
【００４０】
演算部４２は、貨幣処理機２に補充する貨幣の枚数（補充枚数）を求め、この補充枚数を出金機３の処理単位に換算する。具体的には、まず、演算部４２は、受信部４１を介して貨幣処理機２から現在の金種別貨幣収納枚数の情報を受け取る。そして、演算部４２は、記憶部４４に記憶されている貨幣処理機２のニアフル枚数又は補充フル枚数から、貨幣処理機２の収納枚数を減じて、金種別に補充枚数を算出する。
【００４１】
貨幣処理機２が両替機のように出金が多い機器の場合は、なるべく多くの貨幣を補充することが求められるため、ニアフル枚数から収納枚数を減じて補充枚数を算出することが好ましい。一方、貨幣処理機２が釣銭機のように多くの入金が考えられる機器の場合は、貨幣処理機２の収納部に収納余裕を残しておくことが求められるため、補充フル枚数から収納枚数を減じて補充枚数を算出することが好ましい。また、貨幣処理機２の貨幣出金枚数や貨幣入金枚数に金種毎に偏りがある場合は、金種毎に、ニアフル枚数から収納枚数を減じて補充枚数を算出するか、又は、補充フル枚数から収納枚数を減じて補充枚数を算出するかを設定してもよい。
【００４２】
演算部４２は、上述のようにして算出した補充枚数と、記憶部４４に記憶されている出金機３の処理単位とを用いて換算処理を行う。この換算処理は、補充枚数を１処理単位を構成する貨幣の枚数で除算（割り算）する除算処理であり、除算による商が換算結果となる。例えば、１０円硬貨の補充枚数が１００枚、出金機３の１０円硬貨の１処理単位を構成する貨幣の枚数（１本の包装硬貨を構成する硬貨の枚数）が５０枚である場合、換算結果は「２」となる。
【００４３】
除算による剰余は、切り上げ、切り下げなど、任意に設定することができる。例えば、商が０であった場合、すなわち１処理単位に満たない場合は、貨幣処理機２に貨幣が１枚も補充されないことになるため、剰余を切り上げ、１処理単位に換算することが好ましい。このような切り上げ、切り下げの設定は、貨幣処理機２毎に行っても良いし、補充する貨幣の金種毎に行ってもよい。
【００４４】
演算部４２における上述の演算は、貨幣処理機２から貨幣補充要求があった場合に行ってもよいし、貨幣処理機２の貨幣収納枚数がニアエンプティ枚数を下回った場合等に行ってもよいし、操作者や貨幣処理機２を管理する管理装置からの指示によって行ってもよい。
【００４５】
送信部４３は、演算部４２における換算結果を出金機３に送信する。出金機３は送信部４３から受け取った換算結果に基づいて包装硬貨を出金する。例えば、演算部４２における１０円硬貨の補充枚数の換算結果が「２」であった場合、出金機３は、１０円硬貨の包装硬貨を２本出金する。
【００４６】
このように、本実施形態によれば、換算部４が、貨幣処理機２に補充する貨幣枚数を出金機３の処理単位に換算し、出金機３が換算部４の換算結果に基づいて結束貨幣の出金を行う。従って、操作者が、釣銭機への補充枚数を出金機３の処理単位に計算する必要がないため、貨幣処理機２への補充現金を出金機３から正確かつ容易に出金することができる。
【００４７】
次に、貨幣処理機２への補充現金を出金機３が出金する方法を、図３に示すフローチャートを用いて説明する。
【００４８】
（ステップＳ１０１）換算部４の演算部４２が、貨幣処理機２への貨幣補充枚数を算出する。貨幣補充枚数は、例えば貨幣処理機２のニアフル枚数又は補充フル枚数から、現在の収納枚数を減算することで算出される。
【００４９】
（ステップＳ１０２）演算部４２が、記憶部４４に記憶されている出金機３の１処理単位を構成する貨幣の枚数を取得する。
【００５０】
（ステップＳ１０３）演算部４２が、ステップＳ１０１で算出した貨幣補充枚数を処理単位に換算する。具体的には、貨幣補充枚数をステップＳ１０２で取得した１処理単位を構成する貨幣の枚数で除算し、その商を求める。
【００５１】
（ステップＳ１０４）送信部４３が、ステップＳ１０３における換算結果を出金機３に送信する。
【００５２】
（ステップＳ１０５）出金機３が、送信部４３から送信された換算結果に基づいて、ｎ処理単位（ｎは０以上の整数）の貨幣を出金する。
【００５３】
（ステップＳ１０６）出金機３により出金された貨幣が、貨幣処理機２に補充される。
【００５４】
このように、換算部４が、貨幣処理機２への貨幣補充枚数を、出金機３の処理単位に換算し、換算結果を出金機３に送信し、出金機３が換算結果に基づいて出金するため、操作者は計算の手間がかからず、また、計算ミスや入力ミスの発生を防止することができる。従って、貨幣処理機２への補充現金を出金機３から正確かつ容易に出金することができる。
【００５５】
上記第１の実施形態では、換算部４が、貨幣処理機２の貨幣収納枚数から貨幣補充枚数を求めていたが、操作者が換算部４に対して貨幣処理機２への補充枚数を入力してもよい。この場合、換算部４は、貨幣処理機２から収納枚数を通知される必要はなく、操作者から入力された補充枚数と出金機３の出金処理単位とを用いて換算を行う。操作者による補充枚数の入力は、手入力でもよいし、ＵＳＢメモリ等の情報記録媒体を使用したものでもよい。
【００５６】
さらに、換算部４は、出金機３が出金するｎ処理単位（ｎは換算結果である１以上の整数）の貨幣が貨幣処理機２に補充されると貨幣処理機２の収納枚数が補充フル（又はニアフル）を超える場合は、補充後の貨幣処理機２の収納枚数が補充フル（又はニアフル）を超えないように、換算結果をｎ−ｍ（ｍは１≦ｍ≦ｎを満たす整数）に補正し、補正後の換算結果を出金機３に送信するようにしてもよい。このような補正を行うか否かの設定を、貨幣処理機２毎に設定できるようにしてもよく、また、補充する貨幣の金種毎に設定できるようにしてもよい。
【００５７】
また、上記第１の実施形態では、出金機３が、換算部４から受け取った換算結果に基づいて出金を行っていたが、操作者が出金機３に対して換算部４の換算結果を入力するようにしてもよい。換算部４は、操作者が換算結果を確認しやすいように、換算結果を表示する表示部を備えることが好ましい。出金機３は、換算部４と通信接続する必要はなく、操作者から入力された換算結果に基づいて、出金を行う。ただし、この場合、換算結果の入力ミスが発生するおそれがあるため、上記第１の実施形態の方が補充現金の出金の正確性が高い。
【００５８】
また、上記第１の実施形態では、記憶部４４が、貨幣処理機２における金種別の、最大収納枚数、ニアフル枚数、補充フル枚数、ニアエンプティ枚数の情報を記憶していたが、演算部４２が補充枚数を算出するにあたってはニアフル枚数又は補充フル枚数の情報が分かっていればよいため、記憶部４４が、ニアフル枚数又は補充フル枚数の情報のみ記憶するようにしてもよい。また、補充枚数の算出は、貨幣処理機２が行い、補充する貨幣の枚数、金額、金種などを換算部４に送信するようにしてもよい。その場合、記憶部４４は、出金機３の処理単位のみ記憶していればよい。
【００５９】
上記第１の実施形態では、貨幣処理機２への貨幣補充枚数や出金機３の出金単位枚数（処理単位を構成する貨幣の枚数）を用いて換算処理を行っていたが、貨幣処理機２への貨幣補充金額や出金機３の出金単位金額（処理単位を構成する貨幣の総金額）を用いて換算処理を行ってもよい。また、貨幣処理機２の入出金情報を、貨幣処理機２から換算部４に送信し、貨幣処理機２の在高情報と貨幣補充枚数を、換算部４が算出するようにしてもよい。
【００６０】
（第２の実施形態）本発明の第２の実施形態に係る出金機３は、上記第１の実施形態と比較して、硬貨を１枚ずつバラ出金する機能をさらに有している点が異なる。また、本実施形態に係る換算部４は、上記第１の実施形態と比較して、貨幣処理機２への補充貨幣を出金機３がバラ出金できる場合は換算処理を行わない点が異なる。
【００６１】
図４に、本実施形態に係る出金機３のバラ硬貨出金部（第２出金部）の概略構成を示す。バラ硬貨出金部は、筐体１３０の内部に設けられた硬貨ホッパ部１３１ａ、１３１ｂ、１３１ｃ、１３１ｄ、１３１ｅ、１３１ｆに金種毎に収納されたバラ硬貨を筐体１１の外部に出す機能を有している。各硬貨ホッパ部１３１ａ、１３１ｂ、１３１ｃ、１３１ｄ、１３１ｅ、１３１ｆには、操作者が必要に応じて任意の金種のバラ硬貨を手動で装填することができるようになっている。
【００６２】
より具体的には、バラ硬貨出金部は、バラ硬貨の金種毎に設けられた複数（例えば６つ）の硬貨ホッパ部１３１ａ、１３１ｂ、１３１ｃ、１３１ｄ、１３１ｅ、１３１ｆと、これらの硬貨ホッパ部１３１ａ、１３１ｂ、１３１ｃ、１３１ｄ、１３１ｅ、１３１ｆから下方に出されたバラ硬貨を搬送する例えば横方向コンベアからなる搬送部１３２と、搬送部１３２で搬送されたバラ硬貨の出金判別を行う判別部１３３と、硬貨のバラ出金を行う出金口１３４と、リジェクト硬貨等の収納を行うリジェクトボックス１３５とを備える。
【００６３】
各硬貨ホッパ部１３１ａ、１３１ｂ、１３１ｃ、１３１ｄ、１３１ｅ、１３１ｆには計数センサ（図示せず）が設けられており、各計数センサにより、各硬貨ホッパ部１３１ａ、１３１ｂ、１３１ｃ、１３１ｄ、１３１ｅ、１３１ｆから搬送部１３２に送られるバラ硬貨の計数が行われるようになっている。
【００６４】
各硬貨ホッパ部１３１ａ、１３１ｂ、１３１ｃ、１３１ｄ、１３１ｅ、１３１ｆから搬送部１３２に送られたバラ硬貨は、搬送部１３２により搬送され、判別部１３３に送られるようになっている。
【００６５】
判別部１３３により正常なバラ硬貨であると判別されたバラ硬貨は出金口１３４へ送られる。出金口１３４は通常はシャッター（図示せず）により閉められており、操作者が操作部（図示せず）により制御部（図示せず）に対してシャッター開動作を指令したときに、シャッターが開いて、出金口１３４に収容されたバラ硬貨を一括して取り出すことができるようになっている。一方、判別部１３４によりリジェクト硬貨であると判別されたバラ硬貨はリジェクトボックス１３５に収納される。
【００６６】
出金機３は、各硬貨ホッパ部１３１ａ、１３１ｂ、１３１ｃ、１３１ｄ、１３１ｅ、１３１ｆに収納されている金種毎のバラ硬貨の枚数を換算部４に通知することができる。
換算部４は、上記第１の実施形態で説明したように貨幣処理機２への貨幣補充枚数を算出すると、この補充枚数と、出金機３の各硬貨ホッパ部１３１ａ、１３１ｂ、１３１ｃ、１３１ｄ、１３１ｅ、１３１ｆに収納されているバラ硬貨の枚数とを比較する。
【００６７】
換算部４は、各硬貨ホッパ部１３１ａ、１３１ｂ、１３１ｃ、１３１ｄ、１３１ｅ、１３１ｆに収納されているバラ硬貨の枚数が貨幣補充枚数より多い場合、すなわち貨幣処理機２への補充貨幣を出金機３が全てバラ硬貨で出金できる場合は、換算処理を行わずに、補充枚数を出金機３に通知する。出金機３は、通知された補充枚数の硬貨をバラ出金する。
【００６８】
一方、換算部４は、各硬貨ホッパ部１３１ａ、１３１ｂ、１３１ｃ、１３１ｄ、１３１ｅ、１３１ｆに収納されているバラ硬貨の枚数が貨幣補充枚数より少ない場合、すなわち貨幣処理機２への補充貨幣を出金機３のバラ出金だけでは対応できない場合や、出金機３のトラブルにより補充貨幣のすべてをバラ出金できない場合は、上記第１の実施形態で説明した換算処理を行う。出金機３は、換算結果に基づいて包装硬貨を出金する。
【００６９】
また、換算部４は、出金機３がバラ出金できる貨幣の枚数が、貨幣処理機２への補充枚数に満たない場合、その不足分（補充枚数からバラ出金可能な貨幣の枚数を差し引いた枚数）についてのみ、換算処理を行うようにしてもよい。
【００７０】
この場合、換算処理の除算による剰余は、上記第１の実施形態で説明した切り上げ、切り下げなどの処理を行うことになるが、除算の商が０であった場合で、１処理単位の貨幣を補充すると、補充先の貨幣処理機２の貨幣収容枚数がニアフル枚数又は補充フル枚数に達する場合は、剰余を切り下げて０処理単位の補充、すなわち処理単位による貨幣の補充は行わない処理としてもよい。
【００７１】
このように、本実施形態によれば、出金機３がバラ出金できる貨幣の枚数が、貨幣処理機２への補充枚数に満たない場合にのみ、出金機３の処理単位への換算処理を行うことができる。このような処理は、補充貨幣の金種毎に行うこともできる。すなわち、出金機３がバラ出金できる貨幣の枚数が、貨幣処理機２への補充枚数に満たない金種の貨幣についてのみ換算処理を行うようにしてもよい。
【００７２】
上記第２の実施形態では出金機３が硬貨をバラ出金する例について説明したが、紙幣をバラ出金する機能を有する場合も、同様の処理を行うことができる。
【００７３】
上記第１の実施形態及び第２の実施形態において、換算部４は、貨幣処理機２の機内に設けられていてもよいし、出金機３の機内に設けられていてもよい。
【００７４】
貨幣処理機２は、包装硬貨（棒金）を収納する棒金ドロアを備えていてもよい。また、この棒金ドロアは、収納している棒金の金種や在高を検出する機能を有していてもよい。
【００７５】
出金機３は、包装硬貨や束紙幣に限らず、所定枚数の貨幣が封入された袋を換算部４の換算結果に基づいてｎ袋出金するようなものでもよい。
【００７６】
また、出金機３は、バラ硬貨や包装硬貨を出金する両替機、出金機能に加えて入金機能も有する入出金機としてもよく、さらに、バラ硬貨、包装硬貨、バラ紙幣、束紙幣の扱いが可能で、店舗全体もしくは一部の資金の出納を管理する出納機としてもよい。
【００７７】
また、貨幣処理機２として釣銭機を設け、換算部４を釣銭機とは別に設ける場合は、釣銭機とＰＯＳ端末を接続し、釣銭機の貨幣収納枚数や在高情報や入出金情報を、ＰＯＳ端末を介して換算部４に送信するようにしてもよい。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７９】
１  貨幣処理システム
２  貨幣処理機
３  出金機
４  換算部
【図１】
0005627975.tif 000002
【図２】
0005627975.tif 000003
【図３】
0005627975.tif 000004
【図４】
0005627975.tif 000005